(57)【要約】【課題】一枚の樹脂シートを曲げ重ねることによって積層袋体として空気袋を構成した場合にも、その測定精度が低下しない血圧計用カフを提供する。【解決手段】血圧計用カフは、流体が出入りすることによって膨縮する空気袋３０Ａを備えている。空気袋３０Ａは、シボ加工が施された一方の主面であるシボ面とシボ加工が施されていない他方の主面である非シボ面とを有する一枚の樹脂シートを曲げ重ねることによって形成されており、装着状態において径方向に積層配置される第１袋体３１Ａおよび第２袋体３１Ｂを含んでいる。内面が非シボ面にて構成された第１袋体３１Ａの内部の空間には、当該非シボ面同士が密着することを防止するためのシート状の密着防止部材３８が収容されている。【選択図】図４
0003168377.tif 000002
【実用新案登録請求の範囲】
【請求項１】
流体が出入りすることによって膨縮する流体袋を備え、被装着部位に巻き付けられた装着状態において略環状の形態をとる血圧情報測定装置用カフであって、
前記流体袋は、シボ加工が施された一方の主面であるシボ面とシボ加工が施されていない他方の主面である非シボ面とを有する一枚の樹脂シートを曲げ重ねることによって形成され、前記装着状態において径方向に積層配置される第１袋体および第２袋体を含み、
前記第１袋体は、前記樹脂シートの幅方向の略中央に位置する部分の前記非シボ面に前記樹脂シートの幅方向の一方端寄りの部分に位置する前記シボ面が重ね合わされるように前記樹脂シートがループ状に湾曲させられてその重なり部分の少なくとも一部が溶着されることによって形成され、前記非シボ面によって規定される第１膨縮空間をその内部に有し、
前記第２袋体は、前記樹脂シートの幅方向の略中央に位置する部分の前記シボ面に前記樹脂シートの幅方向の他方端寄りの部分に位置する前記非シボ面が重ね合わされるように前記樹脂シートがループ状に湾曲させられてその重なり部分の少なくとも一部が溶着されることによって形成され、前記シボ面によって規定される第２膨縮空間をその内部に有し、
前記第１膨縮空間を規定する前記非シボ面同士が密着することを防止するシート状の密着防止部材が、前記第１袋体に収容されている、血圧情報測定装置用カフ。
【請求項２】
前記密着防止部材が、布からなる、請求項１に記載の血圧情報測定装置用カフ。
【請求項３】
前記密着防止部材が、通気性を有している、請求項１または２に記載の血圧情報測定装置用カフ。
【請求項４】
前記密着防止部材が、前記第１膨縮空間を規定する前記非シボ面の所定領域に貼り付けられている、請求項１から３のいずれかに記載の血圧情報測定装置用カフ。
【請求項５】
前記装着状態において前記第１袋体が前記第２袋体よりも径方向外側に位置するに構成されている、請求項１から４のいずれかに記載の血圧情報測定装置用カフ。
【請求項６】
前記装着状態において前記流体袋の最も径方向外側に位置する外周側壁部の内面のほぼ全面を覆うように前記密着防止部材が配設されている、請求項５に記載の血圧情報測定装置用カフ。
【請求項７】
前記第１膨縮空間と前記第２膨縮空間とが、前記樹脂シートの幅方向の略中央に設けられた連通孔を介して連通している、請求項１から６のいずれかに記載の血圧情報測定装置用カフ。
【請求項８】
請求項１から７のいずれかに記載の血圧情報測定装置用カフと、
前記流体袋を加減圧する加減圧機構と、
前記流体袋を用いることで血圧情報を取得する血圧情報取得部とを備えた、血圧情報測定装置。
【考案の詳細な説明】
【技術分野】
【０００１】
本考案は、血圧情報測定装置用カフおよびこれを備えた血圧情報測定装置に関し、特に、一枚の樹脂シートを曲げ重ねることによって積層袋体として構成された流体袋を具備してなる血圧情報測定装置用カフおよびこれを備えた血圧情報測定装置に関する。
【背景技術】
【０００２】
血圧情報を測定することは、被験者の健康状態を知る上で非常に重要なことである。近年においては、従来から健康管理の代表的な指標として広くその有用性が認められている収縮期血圧値（以下、最高血圧）、拡張期血圧値（以下、最低血圧）等を測定することに限られず、脈波を測定することによって心臓負荷や動脈硬化度等を捉える試みがなされている。
【０００３】
血圧情報測定装置は、測定した血圧情報に基づいてこれら健康管理のための指標を得るための装置であり、循環器系疾患の早期発見や予防、治療等の分野においてさらなる活用が期待されている。なお、血圧情報には、最高血圧、最低血圧、平均血圧、脈波、脈拍、動脈硬化度を示す各種指標等、循環器系の種々の情報が広く含まれる。
【０００４】
一般に、血圧情報の測定には、血圧情報測定装置用カフ（以下、単にカフとも称する）が利用される。ここで、カフとは、内空を有する流体袋を含む帯状または環状の構造物であって身体の一部に装着が可能なものを意味し、気体や液体等の流体を上記内空に注入することによって流体袋を膨張および収縮させて血圧情報の測定に利用されるもののことを指す。なお、カフは、腕帯あるいはマンシェットとも呼ばれる。
【０００５】
通常、カフは、生体を圧迫するための空気袋と、これを内包する外装カバーとによって構成される。血圧情報を高精度に測定するためには、動脈を十分にかつ確実に阻血することが必要であり、装着状態においてカフによって覆われた被装着部位を空気袋によって均等に圧迫することが重要になる。
【０００６】
このような動脈の均等な圧迫が実現できるカフとして、特開２００１−２２４５５８号公報（特許文献１）に開示の如くの、空気袋の両側部に襠が形成されてなるカフが知られている。当該特許文献１に開示の如くのカフにあっては、空気袋が膨張した際に上述した襠が伸びることにより空気袋が幅方向においてより均等に膨張することになり、上述した動脈の均等な圧迫が実現できることになる。
【先行技術文献】
【特許文献】
【０００７】
【特許文献１】特開２００１−２２４５５８号公報
【考案の概要】
【考案が解決しようとする課題】
【０００８】
しかしながら、上記特許文献１に開示の血圧計用カフに具備される空気袋は、複数枚の樹脂シートを重ね合わせて相互に溶着することで上記襠を含む積層袋体としてこれを構成するものであるため、その製造が煩雑になり、生産コストが圧迫されてしまう問題があった。そのため、一枚の樹脂シートを曲げ重ねることにより、断面形状が略「８」の字形状となるように構成することで、上記特許文献１に開示の如くの空気袋と近似の構成を有する空気袋を製造することが行なわれている。
【０００９】
ところで、空気袋を上述したように樹脂シートにて構成した場合には、特にこれを高温環境下で保管した場合や長期間これを保管した場合等に、樹脂シート同士が密着してしまう現象が生じてしまう。当該現象が生じた場合には、これが測定時において空気袋が十分に膨張せずに動脈に対する圧迫力の低下が生じてしまう要因となってしまうため、測定される血圧値の精度に大きな悪影響を及ぼすことにもなりかねない。そのため、通常は、空気袋の内面を規定する樹脂シートの表面に微小凹凸が付与されるシボ加工が施されることが一般的である。
【００１０】
ここで、一般に、空気袋を構成する樹脂シートとしては、押し出し成形によって形成されたものが使用され、当該押し出し成形の際に転写によって同時にシボ加工が施される。しかしながら、押し出し成形によって形成される樹脂シートには、通常、その主面のうちの片面にしかシボ加工が施せない。これは、形成する樹脂シートの厚みや材質、成形の際の押し出しスピード、形成するシボ形状等の成形条件にもよるが、よほどの条件が整わない限り両面へのシボ加工は難しく、血圧計用の空気袋に使用される樹脂シートの成形条件においては、当該条件が整わない。
【００１１】
そのため、上述したように一枚の樹脂シートを曲げ重ねて空気袋を製造した場合には、その内部に形成されることとなる空間のうち、一方の空間については、これが樹脂シートのシボ面で規定されることになるものの、他方の空間については、これが樹脂シートの非シボ面で規定されることとなってしまう。したがって、何らかの対策を施さない限り、上述した密着現象に起因した測定精度の低下が生じてしまうことになる。
【００１２】
したがって、本考案は、上述した問題点を解決すべくなされたものであり、一枚の樹脂シートを曲げ重ねることによって積層袋体として流体袋を構成した場合にも、その測定精度が低下しない血圧情報測定装置用カフおよびこれを備えた血圧情報測定装置を提供することを目的とする。
【課題を解決するための手段】
【００１３】
本考案に基づく血圧情報測定装置用カフは、流体が出入りすることによって膨縮する流体袋を備えており、被装着部位に巻き付けられた装着状態において略環状の形態をとるものである。上記流体袋は、シボ加工が施された一方の主面であるシボ面とシボ加工が施されていない他方の主面である非シボ面とを有する一枚の樹脂シートを曲げ重ねることによって形成されており、上記装着状態において径方向に積層配置される第１袋体および第２袋体を含んでいる。上記第１袋体は、上記樹脂シートの幅方向の略中央に位置する部分の上記非シボ面に上記樹脂シートの幅方向の一方端寄りの部分に位置する上記シボ面が重ね合わされるように上記樹脂シートがループ状に湾曲させられてその重なり部分の少なくとも一部が溶着されることによって形成されており、上記非シボ面によって規定される第１膨縮空間をその内部に有している。上記第２袋体は、上記樹脂シートの幅方向の略中央に位置する部分の上記シボ面に上記樹脂シートの幅方向の他方端寄りの部分に位置する上記非シボ面が重ね合わされるように上記樹脂シートがループ状に湾曲させられてその重なり部分の少なくとも一部が溶着されることによって形成されており、上記シボ面によって規定される第２膨縮空間をその内部に有している。本考案に基づく血圧情報測定装置用カフにあっては、上記第１袋体に、上記第１膨縮空間を規定する上記非シボ面同士が密着することを防止するシート状の密着防止部材が収容されている。
【００１４】
上記本考案に基づく血圧情報測定装置用カフにあっては、上記密着防止部材が、布にて構成されていることが好ましい。
【００１５】
上記本考案に基づく血圧情報測定装置用カフにあっては、上記密着防止部材が、通気性を有していることが好ましい。
【００１６】
上記本考案に基づく血圧情報測定装置用カフにあっては、上記密着防止部材が、上記第１膨縮空間を規定する上記非シボ面の所定領域に貼り付けられていることが好ましい。
【００１７】
上記本考案に基づく血圧情報測定装置用カフにあっては、上記装着状態において上記第１袋体が上記第２袋体よりも径方向外側に位置するに構成されていることが好ましい。その場合に、上記装着状態において上記流体袋の最も径方向外側に位置する外周側壁部の内面のほぼ全面を覆うように上記密着防止部材が配設されていることが好ましい。
【００１８】
上記本考案に基づく血圧情報測定装置用カフにあっては、上記第１膨縮空間と上記第２膨縮空間とが、上記樹脂シートの幅方向の略中央に設けられた連通孔を介して連通していることが好ましい。
【００１９】
本考案に基づく血圧情報測定装置は、上記本考案に基づく血圧情報測定装置用カフと、上記流体袋を加減圧する加減圧機構と、上記流体袋を用いることで血圧情報を取得する血圧情報取得部とを備えている。
【考案の効果】
【００２０】
本考案によれば、一枚の樹脂シートを曲げ重ねることによって積層袋体として流体袋を構成した場合にも、その測定精度が低下しない血圧情報測定装置用カフおよびこれを備えた血圧情報測定装置を提供することができる。
【図面の簡単な説明】
【００２１】
【図１】本考案の実施の形態１における血圧計の概略斜視図である。
【図２】本考案の実施の形態１における血圧計用カフを外周面側から見た場合の展開図である。
【図３】本考案の実施の形態１における血圧計用カフの断面図である。
【図４】本考案の実施の形態１における血圧計用カフの空気袋の拡大部分断面図である。
【図５】本考案の実施の形態１における血圧計用カフの空気袋の概略部分斜視図である。
【図６】本考案の実施の形態１における血圧計の機能ブロックの構成を示す図である。
【図７】本考案の実施の形態１における血圧計の測定動作の流れを示す図である。
【図８】本考案の実施の形態１に基づいた変形例に係る血圧計用カフの断面図である。
【図９】本考案の実施の形態２における血圧計用カフの断面図である。
【図１０】本考案の実施の形態２における血圧計用カフの空気袋の拡大部分断面図である。
【図１１】本考案の実施の形態２に基づいた変形例に係る血圧計用カフの断面図である。
【考案を実施するための形態】
【００２２】
以下、本考案の実施の形態について、図を参照して詳細に説明する。以下に示す実施の形態１，２およびそれらの変形例においては、血圧情報測定装置用カフおよびこれを備えた血圧情報測定装置として、最高血圧および最低血圧等の血圧値を測定することが可能に構成された上腕式の血圧計用カフおよびこれを備えた血圧計を例示して説明を行なう。なお、以下においては、同一のまたは共通する部分について図中同一の符号を付し、その説明は個別には繰り返さない。
【００２３】
（実施の形態１）
図１は、本考案の実施の形態１における血圧計の概略斜視図であり、図２は、本考案の実施の形態１における血圧計用カフを外周面側から見た場合の展開図である。図３は、本実施の形態における血圧計用カフの図２中に示すＩＩＩ−ＩＩＩ線に沿った断面図であり、図４は、図３に示す空気袋の拡大部分断面図である。また、図５は、図２ないし図４に示す空気袋の概略部分斜視図である。まず、これら図１ないし図５を参照して、本実施の形態における血圧計および血圧計用カフの構造について説明する。
【００２４】
図１に示すように、血圧計１は、本体１０と、カフ２０と、エア管６０とを備えている。本体１０は、箱状のケーシング１１を有しており、その上面に表示部４２および操作部４３が設けられている。本体１０は、測定時においてテーブル等の載置面に載置されて使用される。カフ２０は、被装着部位としての上腕に巻き付けが可能な帯状の形態を有しており、外装カバー２１によって覆われている。カフ２０は、測定時において上腕に巻き付けられることで装着されて使用される。なお、エア管６０は、分離されて構成された本体１０とカフ２０とを接続しており、可撓性を有するチューブにて構成されている。
【００２５】
図１ないし図３に示すように、カフ２０は、上述した外装カバー２１と、流体袋としての空気袋３０Ａと、湾曲弾性板としてのカーラ２６と、補強シート２４と、ノイズ低減シート２５とを主として備えている。
【００２６】
図１ないし図３に示すように、外装カバー２１は、平面視略矩形状の帯状かつ袋状の形状を有している。外装カバー２１は、カフ２０が上腕に巻き付けられた装着状態において径方向外側に位置することとなる外側カバー部材２１ａと、カフ２０が上腕に巻き付けられた装着状態において径方向内側に位置して上腕の表面に接触することとなる内側カバー部材２１ｂとが重ね合わされ、それらの周縁をバイアステープ２１ｃによって覆った状態で接合（たとえば縫合や溶着等）することで形成されている。
【００２７】
外側カバー部材２１ａおよび内側カバー部材２１ｂによって規定される外装カバー２１の内部の空間には、上述した空気袋３０Ａ、補強シート２４、カーラ２６およびノイズ低減シート２５がこの順番で内側から順に積層されて配置されている。このうち、空気袋３０Ａは、図２に示すように、外装カバー２１の長手方向の一端部寄りの位置に偏在して配置されている。
【００２８】
また、図１および図２に示すように、外装カバー２１の長手方向の一端部寄りの外周面および他端部寄りの内周面には、それぞれ面ファスナ２２ａ，２２ｂが設けられている。ここで、面ファスナ２２ａは、たとえばフックファスナからなり、面ファスナ２２ｂは、たとえばループファスナからなる。これら面ファスナ２２ａ，２２ｂは、外装カバー２１が上腕に巻き付けられて当該外装カバー２１の上記一端部寄りの部分と上記他端部寄りの部分とが上腕の表面上において重ね合わされることにより係止する。これにより、外装カバー２１が上腕に対して固定されることになり、カフ２０が上腕に固定的に装着されることになる。
【００２９】
外装カバー２１のうち、外側カバー部材２１ａとしては、空気袋３０Ａが径方向外側に向かって膨張することを抑制するために、内側カバー部材２１ｂに比して伸縮性に乏しい部材が利用される。一方、外装カバー２１のうち、内側カバー部材２１ｂとしては、空気袋３０Ａの膨張によって上腕に加えられる圧迫力が当該内側カバー部材２１ｂによって阻害されないように、十分に伸縮性に富んだ部材が好適に利用される。このような観点から、外装カバー２１としては、伸縮性の大小を比較的容易に調整することができるポリアミド（ＰＡ）、ポリエステル等の合成繊維からなる布地等が利用される。
【００３０】
図３ないし図５に示すように、空気袋３０Ａは、一枚の樹脂シートを用いて形成された袋状の部材からなり、当該一枚の樹脂シートを所望の形状に曲げ重ねてその所定部位が溶着されることで袋状に形成されたものである。ここで、当該樹脂シートは、押し出し成形によって形成されたものであり、シボ加工（すなわち、押し出し成形の際に転写によって微小凹凸が樹脂シートの表面に付与される加工）が施された一方の主面であるシボ面と、当該シボ加工が施されていない他方の主面である非シボ面とを有している。
【００３１】
空気袋３０Ａは、装着状態において径方向外側に配置される第１袋体３１Ａと、装着状態において径方向外側に配置される第２袋体３１Ｂとを有する積層袋体にて構成されており、これら第１袋体３１Ａおよび第２袋体３１Ｂのいずれもが、一枚の樹脂シートによって形成されている。
【００３２】
第１袋体３１Ａは、上記一枚の樹脂シートの幅方向の略中央に位置する部分の非シボ面に当該一枚の樹脂シートの幅方向の一方端寄りの部分に位置するシボ面が重ね合わされるように当該一枚の樹脂シートがループ状に湾曲させられ、その重なり部分の一部が溶着されて固定されることで構成されている。第１袋体３１Ａは、上記樹脂シートの非シボ面によって規定される第１膨縮空間をその内部に有している。
【００３３】
第２袋体３１Ａは、上記一枚の樹脂シートの幅方向の略中央に位置する部分のシボ面に当該一枚の樹脂シートの幅方向の他方端寄りの部分に位置する非シボ面が重ね合わされるように当該一枚の樹脂シートがループ状に湾曲させられ、その重なり部分の一部が溶着されて固定されることで構成されている。第２袋体３１Ｂは、上記樹脂シートのシボ面によって規定される第２膨縮空間をその内部に有している。
【００３４】
これにより、空気袋３０Ａは、その断面形状が略「８」の字形状となるように構成されており、折り畳まれた状態（すなわち、非膨張状態）において、全体として平面視略矩形状の帯状の形状に形成されている。
【００３５】
上記のように構成されることにより、空気袋３０Ａは、装着状態において径方向外側に位置することとなる外周側壁部３０ａと、装着状態において径方向内側に位置することとなる内周側壁部３０ｂと、これら外周側壁部３０ａおよび内周側壁部３０ｂの間に位置する中間壁部３０ｃと、空気袋３０Ａの幅方向に位置する両側部によって構成され、外周側壁部３０ａの幅方向の端部、内周側壁部３０ｂの幅方向の端部および中間壁部３０ｃの幅方向の端部を相互にそれぞれ接続する襠３４とを主として有することになる。また、第１袋体３１Ａは、外周側壁部３０ａと中間壁部３０ｃと襠３４の一部とによって構成されることになり、第２袋体３１Ｂは、内周側壁部３０ｂと中間壁部３０ｃと襠３４の残る一部とによって構成されることになる。
【００３６】
ここで、樹脂シートの一部が重ね合わされて構成されている中間壁部３０ｃの所定位置には、空気袋３０Ａの長手方向に沿って溶着処理が施されることで２つの溶着ライン部３５ａが形成されている。当該溶着ライン部３５ａは、空気袋３０Ａの長手方向の一端部から他端部に達するように設けられており、空気袋３０Ａの内部に形成された膨縮空間３２を幅方向において封止するための部位であるとともに、一枚の樹脂シートが曲げ重ねられて構成された空気袋３０Ａの形状を維持するための部位でもある。
【００３７】
また、中間壁部３０ｃの所定位置には、連通孔３３が設けられており、当該連通孔３３を介して上述した第１膨縮空間３２ａと第２膨縮空間３２ｂとが連通している。これにより、第１袋体３１Ａに設けられた第１膨縮空間３２ａと第２袋体３１Ｂに設けられた第２膨縮空間３２ｂとによって、空気袋３０Ａの膨縮空間３２が構成されることになる。
【００３８】
また、上記中間壁部３０ｃは、空気袋３０Ａの幅方向の両端に位置する襠３４を当該空気袋３０Ａの内部において連結する連結部にも相当する。そのため、連結部としての上記中間壁部３０ｃが存在することにより、空気袋３０Ａの膨張および収縮の際に襠３４が空気袋３０Ａの幅方向の外側に向けて膨出することが防止されることになり、空気袋３０Ａの横ずれ（すなわち、襠３４が空気袋３０Ａの幅方向の外側に向けて膨出することによって空気袋３０Ａに傾きが生じる不具合）の発生が抑制されることになる。
【００３９】
一方、図５に示すように、空気袋３０Ａの長手方向の両端部（図中においては、このうちの一端部のみが示されている）には、溶着ライン部３５ｂが設けられている。溶着ライン部３５ｂは、空気袋３０Ａを構成する外周側壁部３０ａ、内周側壁部３０ｂ、中間壁部３０ｃおよび襠３４を重ね合わせてそれらの端部に沿ってライン状に溶着処理を施すことによって形成されたものである。当該溶着ライン部３５ｂは、空気袋３０Ａの幅方向に沿って延びており、空気袋３０Ａの内部に形成された膨縮空間３２を長手方向において封止するための部位である。
【００４０】
図２ないし図５に示すように、第１袋体３１Ａの内部（すなわち、第１膨縮空間３２ａ）には、シート状の密着防止部材３８が配置されている。密着防止部材３８は、空気袋３０Ａが折り畳まれた状態（すなわち、非膨張状態）において、空気袋３０Ａの外周側壁部３０ａのほぼ全面を覆う大きさを有しており、当該外周側壁部３０ａにたとえば両面テープ３９によって貼り付けられている。
【００４１】
密着防止部材３８は、樹脂シートの非シボ面にて規定される第１膨縮空間３２ａが、当該非シボ面同士（すなわち、外周側壁部３０ａの表面と中間壁部３０ｃの表面）が密着することを防止するための部材であり、好ましくは織布または不織布等の布によって構成される。ここで、布の材質としては、ナイロンやポリエステル等が特に好適である。このように、内面が非シボ面で構成される第１袋体３１Ａの内部に密着防止部材３８を配置することにより、カフ２０を高温環境下で保管した場合や長期間保管した場合等にも、非シボ面同士が密着してしまうことが未然に防止されることになる。
【００４２】
図１および図２に示すように、空気袋３０Ａの外周側壁部３０ａの所定位置には、ニップル３６が設けられており、当該ニップル３６は、外装カバー２１の外側カバー部材２１ａに設けられた開口を介して外部に引き出されている。ニップル３６は、上述したエア管６０と空気袋３０Ａの膨縮空間３２とを接続するための部位である。これにより、空気袋３０Ａの膨縮空間３２は、上述したエア管６０を介して後述する加圧ポンプ５１および排気弁５２（図６参照）に接続されることになり、これら加圧ポンプ５１および排気弁５２よってその加減圧が行なわれることになる。
【００４３】
なお、上述した空気袋３０Ａを構成する樹脂シートの材質としては、伸縮性に富んでおり溶着後において内部に形成された膨縮空間３２からの漏気がないものであればどのようなものでも利用可能である。このような観点から、樹脂シートの好適な材質としては、エチレン−酢酸ビニル共重合体（ＥＶＡ）、軟質塩化ビニル（ＰＶＣ）、ポリウレタン（ＰＵ）、ポリアミド（ＰＡ）等が挙げられる。
【００４４】
図３に示すように、カーラ２６は、外装カバー２１の内部の空間に収容されている。カーラ２６は、環状に巻き回されることによって径方向に弾性変形可能に構成された可撓性の部材からなり、周方向の所定位置に軸方向に沿って延びる切れ目を有している。この切れ目により、カーラ２６は、外力が加えられることによって径方向に伸縮自在に弾性変形する。すなわち、外力が作用することによってカーラ２６は径方向に変形するが、外力の作用がなくなった場合には元の状態へと復元する。これにより、カーラ２６は、装着状態において自身の環状形態を維持することによって上腕に沿うように宛がわれる。
【００４５】
このカーラ２６は、被験者自身によってカフ２０を上腕に装着し易くするためのものであるとともに、カフ２０が上腕に巻き付けられた装着状態において空気袋３０Ａを上腕側に向けて付勢するためのものである。そのため、カーラ２６は、外装カバー２１の内部の空間であって空気袋３０Ａが配置された部分の装着状態における径方向外側の位置に配置される。これにより、カフ２０は、非装着状態においても略環状の形態を有することになり、帯状の空気袋３０Ａもこれに伴って略環状の形態をとることになる。なお、カーラ２６は、十分な弾性力を発現するように、たとえばポリプロピレン（ＰＰ）等の樹脂部材にて形成される。
【００４６】
補強シート２４およびノイズ低減シート２５は、いずれも外装カバー２１の内部の空間に配置されており、外装カバー２１の内部の空間を厚み方向に区画している。補強シート２４およびノイズ低減シート２５は、いずれも外装カバー２１に接合（たとえば縫合や溶着等）されることで外装カバー２１に一体化されている。補強シート２４およびノイズ低減シート２５の外装カバー２１に対する固定には、図示するように、補強シート２４の周縁とノイズ低減シート２５の周縁とが外装カバー２１の外側カバー部材２１ａの周縁と内側カバー部材２１ｂの周縁との間に介装されることにより、外側カバー部材２１ａと内側カバー部材２１ｂとの接合の際にこれらが同時に接合されることで行なわれる。
【００４７】
補強シート２４は、カーラ２６が内側カバー部材２１ｂに直接接触することで内側カバー部材２１ｂが劣化することを防止するための部材であり、装着状態においてカーラ２６よりも径方向内側に位置している。また、ノイズ低減シート２５は、カーラ２６と外側カバー部材２１ａとが直接接触することで発生する雑音が空気袋３０Ａに伝播することを防止するための部材であり、装着状態においてカーラ２６の径方向外側に位置している。すなわち、カーラ２６は、装着状態において上述した補強シート２４の径方向外側であってかつノイズ低減シート２５の径方向内側の空間に配置されている。なお、空気袋３０Ａは、装着状態において内側カバー部材２１ｂの径方向外側であってかつ補強シート２４の径方向内側の空間に配置されることになる。
【００４８】
図６は、本実施の形態における血圧計の機能ブロックの構成を示す図である。次に、この図６を参照して、本実施の形態における血圧計の機能ブロックの構成について説明する。
【００４９】
図６に示すように、本体１０は、上述した表示部４２および操作部４３に加え、制御部４０と、メモリ部４１と、電源部４４と、加圧ポンプ５１と、排気弁５２と、圧力センサ５３と、加圧ポンプ駆動回路５４と、排気弁駆動回路５５と、発振回路５６とを有している。加圧ポンプ５１、排気弁５２および圧力センサ５３は、血圧計１に具備されるエア系コンポーネント５０に相当し、特に加圧ポンプ５１および排気弁５２は、空気袋３０Ａを加減圧するための加減圧機構に相当する。
【００５０】
制御部４０は、たとえばＣＰＵ（Central Processing Unit）にて構成され、血圧計１の全体を制御するための手段である。メモリ部４１は、たとえばＲＯＭ（Read-Only Memory）やＲＡＭ（Random-Access Memory）にて構成され、血圧値測定のための処理手順を制御部４０等に実行させるためのプログラムを記憶したり、測定結果等を記憶したりするための手段である。
【００５１】
表示部４２は、たとえばＬＣＤ（Liquid Crystal Display）にて構成され、測定結果等を表示するための手段である。操作部４３は、使用者等による操作を受付けてこの外部からの命令を制御部４０や電源部４４に入力するための手段である。電源部４４は、制御部４０に電力を供給するための手段である。
【００５２】
制御部４０は、加圧ポンプ５１および排気弁５２を駆動するための制御信号を加圧ポンプ駆動回路５４および排気弁駆動回路５５にそれぞれ入力したり、測定結果としての血圧値をメモリ部４１や表示部４２に入力したりする。また、制御部４０は、圧力センサ５３によって検出された圧力値に基づいて被験者の血圧値を取得する血圧情報取得部（不図示）を含んでおり、この血圧情報取得部によって取得された血圧値が、測定結果として上述したメモリ部４１や表示部４２に入力される。
【００５３】
なお、血圧計１は、測定結果としての血圧値を外部の機器（たとえばＰＣ（Personal Computer）やプリンタ等）に出力する出力部を別途有していてもよい。出力部としては、たとえばシリアル通信回線や各種の記録媒体への書き込み装置等が利用可能である。
【００５４】
加圧ポンプ駆動回路５４は、制御部４０から入力された制御信号に基づいて加圧ポンプ５１の動作を制御する。排気弁駆動回路５５は、制御部４０から入力された制御信号に基づいて排気弁５２の開閉動作を制御する。加圧ポンプ５１は、空気袋３０Ａの膨縮空間３２に空気を供給することにより空気袋３０Ａの内圧（以下、「カフ圧」とも称する）を加圧するためのものであり、その動作が上述した加圧ポンプ駆動回路５４によって制御される。排気弁５２は、空気袋３０Ａの内圧を維持したり、空気袋３０Ａの膨縮空間３２を外部に開放してカフ圧を減圧したりするためのものであり、その動作が上述した排気弁駆動回路５５によって制御される。
【００５５】
圧力センサ５３は、静電容量型のセンサであり、空気袋３０Ａの内圧に応じてその静電容量が変化する。発振回路５６は、圧力センサ５３の静電容量に応じた発振周波数の信号を生成し、生成した信号を制御部４０に入力する。
【００５６】
図７は、本実施の形態における血圧計の測定動作の流れを示す図である。次に、この図７を参照して、本実施の形態における血圧計の測定動作の流れについて説明する。なお、図７に示すフローチャートに従うプログラムは、上述したメモリ部４１に予め記憶されており、制御部４０がメモリ部４１からこのプログラムを読み出して実行することにより、その処理が実行されるものである。
【００５７】
血圧値を測定するに際しては、カフ２０が予め被験者の上腕に巻き付けられて装着される。この状態において、本体１０に設けられた操作部４３が操作されて血圧計１の電源がオンにされると、制御部４０に対して電源部４４から電力が供給されて制御部４０が駆動する。図６に示すように、制御部４０は、その駆動後において、まず血圧計１の初期化を行なう（ステップＳ１０１）。
【００５８】
次に、制御部４０は、測定開始の指示を待ち、操作部４３が操作されて測定開始の指示が入力されると、排気弁５２を閉塞させるとともに加圧ポンプ５１の駆動を開始し、空気袋３０Ａのカフ圧を徐々に上昇させる（ステップＳ１０２）。
【００５９】
この空気袋３０Ａを加圧する過程において、制御部４０は、公知の手順で最高血圧および最低血圧を算出する（ステップＳ１０３）。具体的には、制御部４０は、空気袋３０Ａのカフ圧を上昇させる過程において発振回路５６から得られる発振周波数よりカフ圧を取得し、取得したカフ圧に重畳した脈波情報を抽出する。そして、制御部４０は、抽出された脈波情報に基づいて上記血圧値を算出する。
【００６０】
ステップＳ１０３において血圧値が算出されると、制御部４０は、加圧ポンプ５１の駆動を停止するとともに排気弁５２を開放することで空気袋３０Ａ内の空気を完全に排気し（ステップＳ１０４）、測定結果としての血圧値を表示部４２に表示するとともに、当該血圧値をメモリ部４１に格納する（ステップＳ１０５）。
【００６１】
その後、制御部４０は、電源オフの指令を待ってその動作を終了する。なお、以上において説明した測定方式は、空気袋３０Ａの加圧時に脈波を検出するいわゆる加圧測定方式に基づいたものであるが、空気袋３０Ａの減圧時に脈波を検出するいわゆる減圧測定方式を採用することも当然に可能である。
【００６２】
以上において説明した本実施の形態における血圧計用カフ２０およびこれを備えた血圧計１にあっては、上述したように、樹脂シートの非シボ面にて規定される第１袋体３１Ａの第１膨縮空間３２ａに密着防止部材３８が配置されているため、カフ２０を高温環境下で保管した場合や長期間保管した場合等にも、非シボ面同士が密着してしまうことが未然に防止されることになる。また、樹脂シートのシボ面にて規定される第２袋体３１Ｂの第２膨縮空間３２ｂは、そもそもその内面に形成された微小凹凸により、これが密着することはない。
【００６３】
そのため、第１袋体３１Ａおよび第２袋体３１Ｂのいずれにおいても測定時においてこれらが十分に膨張することになり、空気袋３０Ａ全体として意図した膨張が生じ、血圧値の測定精度が損なわれることがない。したがって、上記構成を採用することにより、一枚の樹脂シートを曲げ重ねることによって積層袋体として空気袋を構成した場合にも、その測定精度が低下しない血圧計用カフおよびこれを備えた血圧計とすることができる。
【００６４】
ここで、密着防止部材３８を外周側壁部３０ａに貼り付けるための両面テープ３９の配設位置は、外周側壁部３０ａのどの領域を覆うように密着防止部材３８を配置するか、また密着防止部材３８が通気性を有するか否かを考慮して適宜決定される。
【００６５】
たとえば、図２を参照して、本実施の形態の如くニップル３６が設けられた部分の外周側壁部３０ａのほぼ全面を覆うように密着防止部材３８を貼り付ける場合であって、密着防止部材３８が通気性を有しない場合には、外周側壁部３０ａと密着防止部材３８との間の空間が両面テープ３９によって囲われないようにすることが必要であり、たとえば図示するように、空気袋３０Ａの長手方向の両端部近傍のみを両面テープ３９で接着することとすればよい。
【００６６】
また、図２を参照して、本実施の形態の如くニップル３６が設けられた部分の外周側壁部３０ａのほぼ全面を覆うように密着防止部材３８を貼り付ける場合であって、密着防止部材３８が通気性を有しない場合であっても、密着防止部材３８のニップル３６に対面する部分に局所的に開口部を設けたり、あるいは密着防止部材３８を複数のシート状の部材に分割してこれらがいずれもニップル３６に対面しない位置に配置するようにしたりした場合等には、両面テープ３９の配設位置は、何ら制限されることはない。
【００６７】
また、図２を参照して、本実施の形態の如くニップル３６が設けられた部分の外周側壁部３０ａのほぼ全面を覆うように密着防止部材３８を貼り付ける場合であって、密着防止部材３８が通気性を有する場合には、両面テープ３９の配設位置は何ら制限されることはなく、図示する如くの位置に両面テープ３９を配設することとしてもよいし、外周側壁部３０ａと密着防止部材３８との間の空間が両面テープ３９によって囲われるよう配設することとしてもよい。
【００６８】
このように、本実施の形態の如く、第１膨縮空間３２ａに密着防止部材３８を設ける場合には、当該密着防止部材３８が設けられることによって空気袋３０Ａの全体としての膨張が阻害されないように考慮することが必要である。
【００６９】
図８は、上述した本実施の形態に基づいた変形例に係る血圧計用カフの断面図である。次に、この図８を参照して本実施の形態に基づいた変形例に係る血圧計用カフについて説明する。
【００７０】
図８に示すように、本変形例に係る血圧計用カフ２０に具備される空気袋３０Ｂは、上述した本実施の形態と比較して、密着防止部材３８の貼り付け位置において相違している。すなわち、本変形例に係る血圧計用カフ２０にあっては、密着防止部材３８が空気袋３０Ｂの第１袋体３１Ａの内部（すなわち、第１膨縮空間３２ａ）に配置されており、中間壁部３０ｃにたとえば両面テープによって貼り付けられている。
【００７１】
このように構成した場合にも、内面が非シボ面で構成される第１袋体３１Ａの内部に密着防止部材３８が配置されることになるため、非シボ面同士が密着してしまうことが未然に防止されることになり、上述した本実施の形態において説明した効果と同様の効果を得ることができる。なお、このように構成した場合にも、上述した本実施の形態の場合と同様に、密着防止部材３８が設けられることによって空気袋３０Ｂの全体としての膨張が阻害されないように、密着防止部材３８の貼り付け位置や密着防止部材３８を接着するための両面テープの配設位置等を適宜決定することが必要である。
【００７２】
（実施の形態２）
図９は、本考案の実施の形態２における血圧計用カフ断面図であり、図１０は、図９に示す空気袋の拡大部分断面図である。これら図９および図１０を参照して、本実施の形態における血圧計用カフの構造について説明する。
【００７３】
図９および図１０に示すように、本実施の形態における血圧計用カフ２０にあっては、上述した本考案の実施の形態１と比較して、主として外装カバー２１の内部に収容される空気袋３０Ｃの向きが相違している。すなわち、本実施の形態における血圧計用カフ２０にあっては、内面が非シボ面である第１袋体３１Ａが装着状態において径方向内側に配置され、かつ、内面がシボ面である第２袋体３１Ｂが装着状態において径方向外側に配置されるように、空気袋３０Ｃの向きが設定されている。
【００７４】
このように構成した場合には、第１袋体３１Ａは、内周側壁部３０ｂと中間壁部３０ｃと襠３４の一部とによって構成されることになり、第２袋体３１Ｂは、外周側壁部３０ａと中間壁部３０ｃと襠３４の残る一部とによって構成されることになる。
【００７５】
本実施の形態における血圧計用カフ２０にあっても、第１袋体３１Ａの内部（すなわち、第１膨縮空間３２ａ）にシート状の密着防止部材３８が配置されている。密着防止部材３８は、空気袋３０Ｃが折り畳まれた状態（すなわち、非膨張状態）において、空気袋３０Ｃの内周側壁部３０ｂのほぼ全面を覆う大きさを有しており、当該内周側壁部３０ｂにたとえば両面テープ３９によって貼り付けられている。
【００７６】
このように構成した場合にも、内面が非シボ面で構成される第１袋体３１Ａの内部に密着防止部材３８が配置されることになるため、非シボ面同士が密着してしまうことが未然に防止されることになり、上述した本考案の実施の形態１において説明した効果と同様の効果を得ることができる。なお、このように構成した場合には、密着防止部材３８によって空気袋３０Ｃの全体としての膨張が阻害されることがないため、密着防止部材３８の貼り付け位置や密着防止部材３８を接着するための両面テープの配設位置等を特に考慮する必要はない。
【００７７】
図１１は、上述した本実施の形態に基づいた変形例に係る血圧計用カフの断面図である。次に、この図１１を参照して本実施の形態に基づいた変形例に係る血圧計用カフについて説明する。
【００７８】
図１１に示すように、本変形例に係る血圧計用カフ２０に具備される空気袋３０Ｄは、上述した本実施の形態と比較して、密着防止部材３８の貼り付け位置において相違している。すなわち、本変形例に係る血圧計用カフ２０にあっては、密着防止部材３８が空気袋３０Ｄの第１袋体３１Ａの内部（すなわち、第１膨縮空間３２ａ）に配置されており、中間壁部３０ｃにたとえば両面テープによって貼り付けられている。
【００７９】
このように構成した場合にも、内面が非シボ面で構成される第１袋体３１Ａの内部に密着防止部材３８が配置されることになるため、非シボ面同士が密着してしまうことが未然に防止されることになり、上述した本実施の形態において説明した効果と同様の効果を得ることができる。ただし、このように構成した場合には、密着防止部材３８が設けられることによって空気袋３０Ｄの全体としての膨張が阻害されないように、密着防止部材３８の貼り付け位置や密着防止部材３８を接着するための両面テープの配設位置等を適宜決定することが必要である。
【００８０】
以上において説明した本考案の実施の形態１，２およびそれらの変形例においては、湾曲弾性板としてのカーラが外装カバーに内包されてなる血圧計用カフおよびこれを備えた血圧計を例示して説明を行なったが、当該カーラは必ずしも必須の構成ではなく、本考案は、カーラを具備しない血圧計用カフおよびこれを備えた血圧計にも当然にその適用が可能である。
【００８１】
また、以上において説明した本考案の実施の形態１，２およびそれらの変形例においては、密着防止部材が両面テープによって樹脂シートの非シボ面に貼り付けられた場合を例示して説明を行なったが、他の固定方法によって密着防止部材が樹脂シートの非シボ面に固定されていてもよく、またシート状の密着防止部材の折れ曲がりや位置ずれが生じない場合には、これを樹脂シートに固定しないこととしてもよい。
【００８２】
また、以上において説明した本考案の実施の形態１，２およびそれらの変形例においては、被測定部位として上腕が採用された上腕式血圧計およびこれに具備される血圧計用カフに本考案を適用した場合を例示して説明を行なったが、本考案は、手首式血圧計や足式血圧計およびこれらに具備される血圧計用カフにも当然にその適用が可能である。
【００８３】
さらには、以上において説明した本考案の実施の形態１，２およびそれらの変形例にあっては、最高血圧および最低血圧が測定可能な血圧計およびこれに具備される血圧計用カフに本考案を適用した場合を例示して説明を行なったが、最高血圧および最低血圧以外の他の血圧情報（たとえば、平均血圧値、脈波、脈拍、ＡＩ（Augmentation Index）値等）が測定可能な血圧情報測定装置およびこれに具備される血圧情報測定装置用カフに本考案を適用することも当然に可能である。
【００８４】
このように、今回開示した上記各実施の形態およびそれらの変形例はすべての点で例示であって、制限的なものではない。本考案の技術的範囲は実用新案登録請求の範囲によって画定され、また実用新案登録請求の範囲の記載と均等の意味および範囲内でのすべての変更を含むものである。
【符号の説明】
【００８５】
１  血圧計、１０  本体、１１  ケーシング、２０  血圧計用カフ、２１  外装カバー、２１ａ  外側カバー部材、２１ｂ  内側カバー部材、２１ｃ  バイアステープ、２２ａ，２２ｂ  面ファスナ、２４  補強シート、２５  ノイズ低減シート、２６  カーラ、３０Ａ〜３０Ｄ  空気袋、３０ａ  外周側壁部、３０ｂ  内周側壁部、３０ｃ  中間壁部、３１  膨縮空間、３１Ａ  第１袋体、３１Ｂ  第２袋体、３２  膨縮空間、３２ａ  第１膨縮空間、３２ｂ  第２膨縮空間、３３  連通孔、３４  襠、３５ａ，３５ｂ  溶着ライン部、３６  ニップル、３８  密着防止部材、３９  両面テープ、４０  制御部、４１  メモリ部、４２  表示部、４３  操作部、４４  電源部、５０  エア系コンポーネント、５１  加圧ポンプ、５２  排気弁、５３  圧力センサ、５４  加圧ポンプ駆動回路、５５  排気弁駆動回路、５６  発振回路、６０  エア管。
【図１】
0003168377.tif 000003
【図２】
0003168377.tif 000004
【図３】
0003168377.tif 000005
【図４】
0003168377.tif 000006
【図５】
0003168377.tif 000007
【図６】
0003168377.tif 000008
【図７】
0003168377.tif 000009
【図８】
0003168377.tif 000010
【図９】
0003168377.tif 000011
【図１０】
0003168377.tif 000012
【図１１】
0003168377.tif 000013